(57)【要約】　【課題】　熱交換器のための新規且つ改良されたマニホルド構造を提供することである。　【解決手段】　長手方向軸線２０を有するマニホルド構造１０が細長のタンクピース３２と、細長のヘッダピース３４とを含み、タンクピース３２は間隔を置いて長手方向に伸延する一対のタンク縁部３６と、タンク縁部３６の一方からタンク縁部の他方に向けて伸延し、長手方向軸線２０を横断するタンクピースの断面形状を画定するタンク壁３８とを含む。ヘッダピース３４は、長手方向に伸延するヘッダ縁部４２と、各ヘッダ縁部４２の一方からヘッダ縁部の他方に向けて伸延し、長手方向軸線２０を横断するヘッダピース３４の断面形状を画定するヘッダ壁４４とを含む。開口を内部に有し、タブ５２により係合された複数の型押しビード４８により、マニホルド構造１０を接合する作業の間これらタンクピース及びヘッダピースとの間に好適な接合ジョイントが得られる。【選択図】　　　　図１
2004037071.tif 000002
【特許請求の範囲】
【請求項１】
熱交換器用の、長手方向軸線を有し且つ複数の管を伸延させてなる細長のマニホルド構造であって、
　細長のタンクピースにして、長手方向に伸延し共通方向を向いた一対のタンク縁部と、タンク縁部の一方からタンク縁部の他方に伸延し、長手方向軸線を横断してのタンクピースの断面形状を画定するタンク壁と、を有する細長のタンクピースと、
　細長のヘッダピースにして、間隔を置いて長手方向に伸延し、前記共通方向とは反対方向を向いた一対のヘッダ縁部と、ヘッダ縁部の一方からヘッダ縁部の他方に伸延し、長手方向軸線を横断してのヘッダピースの断面形状を画定するヘッダ壁と、を有する細長のヘッダピースと、
　を含み、
　タンクピース及びヘッダピースの少なくとも一方が、タンクピース及びヘッダピースの少なくとも一方の隣り合う縁部に、長手方向軸線に沿って間隔を置いた少なくとも２つの型押しビードを含み、各型押しビードが、タンクピース及びヘッダピースの少なくとも一方の各縁部の一方から離間し且つタンクピース及びヘッダピースの他方を向いた終端を有し、各終端が内部に開口を有し、
　タンクピース及びヘッダピースの少なくとも一方が、タンクピース及びヘッダピースの少なくとも一方の各縁部の長手方向軸線に沿って間隔を置いた且つタンクピース及びヘッダピースの他方に向けて伸延して型押しビードの終端の開口に係合する複数のタブを更に含むマニホルド構造。
【請求項２】
型押しビードがタンク壁に形成され、タブがヘッダ縁部に形成される請求項１のマニホルド構造。
【請求項３】
型押しビードがヘッダ壁に形成され、タブがタンク壁に形成される請求項１のマニホルド構造。
【請求項４】
型押しビードの少なくとも１つが一対の終端を含み、該一対の終端の一方が開口を有する終端であり、終端の他方が、開口を有する前記終端が隣り合うと同じ縁部に隣り合って位置付けられる請求項１のマニホルド構造。
【請求項５】
一対の終端の前記他方が開口を有さない請求項４のマニホルド構造。
【請求項６】
型押しビードの少なくとも１つが一対の終端を含み、該一対の終端の一方がタンクピース及びヘッダピースの少なくとも一方の各縁部の一方に隣り合って位置付けられ、前記一対の終端の他方がタンクピース及びヘッダピースの少なくとも一方の各縁部の他方に隣り合って位置付けられ、型押しビードの少なくとも１つが一対の終端の一方から他方に向けて壁を横断して伸延し、一対の終端の各々が、タブの１つを受ける開口の１つを有する請求項１のマニホルド構造。
【請求項７】
型押しビードの少なくとも１つがマニホルド構造を取り巻く外側空間内に向けて外側に突出される請求項１のマニホルド構造。
【請求項８】
型押しビードの少なくとも１つがマニホルド構造の内側容積内に向けて突出される請求項１のマニホルド構造。
【請求項９】
タブの少なくとも１つが、タンクピース及びヘッダピースの少なくとも一方の各縁部の一方に形成した凹所内に位置付けられる請求項１のマニホルド構造。
【請求項１０】
タンクピース及びヘッダピースの少なくとも一方の断面形状がＵ字型である請求項１のマニホルド構造。
【請求項１１】
熱交換器用の、長手方向軸線を有し且つ複数の管を伸延させてなる細長のマニホルド構造であって、
　細長のタンクピースにして、間隔を置いて長手方向に伸延し、共通方向を向いた一対のタンク縁部と、タンク縁部の一方からタンク縁部の他方に向けて伸延し、長手方向軸線を横断してのタンクピースの断面形状を画定するタンク壁とを含み、各タンク縁部に隣り合って長手方向軸線に沿って間隔を置いた型押しビードにして、タンク縁部の一方から離間し且つ共通方向を向いた終端を各々有し、各終端が内部に開口を有する型押しビードを更に含む細長のタンクピースと、
　細長のヘッダピースにして、間隔を置いて長手方向に伸延し、共通方向を向いた一対のヘッダ縁部と、ヘッダ縁部の一方からヘッダ縁部の他方に伸延し、長手方向軸線を横断してのヘッダピースの断面形状を画定し、前記共通方向とは反対側方向を向いたヘッダ壁とを含み、各ヘッダ縁部における、長手方向に沿って間隔を置いた複数のタブにして、タンクピースに向けて伸延して型押しビードの終端内の開口に係合するタブを更に含む細長のヘッダピースと、
　からなるマニホルド構造。
【請求項１２】
少なくとも１つの型押しビードが一対の終端を含み、該一対の終端の一方が開口を有する終端であり、他方が前記開口を有する終端が隣り合うと同じタンク縁部に隣り合って位置付けられる請求項１１のマニホルド構造。
【請求項１３】
一対の終端の前記他方が開口を有さない請求項１２のマニホルド構造。
【請求項１４】
少なくとも１つの型押しビードが一対の終端を有し、該一対の終端の一方がタンク縁部の一方に隣り合って位置付けられ、一対の終端の他方がタンク縁部の他方に隣り合って位置付けられ、型押しビードの少なくとも１つが前記一対の終端の一方から他方に向けて壁を横断して伸延し、前記一対の終端の各々がタブの１つを受ける開口の１つを有する請求項１１のマニホルド構造。
【請求項１５】
少なくとも１つの型押しビードが、マニホルド構造を取り巻く外側空間内に向けて外側に突出する請求項１１のマニホルド構造。
【請求項１６】
少なくとも１つの型押しビードが、マニホルド構造の内側容積内に突出する請求項１１のマニホルド構造。
【請求項１７】
少なくとも１つのタブがヘッダ縁部の１つに形成した凹所内に位置付けられる請求項１１のマニホルド構造。
【請求項１８】
ヘッダピース及びタンクピースの少なくとも一方の断面形状がＵ字型である請求項１１のマニホルド構造。
【請求項１９】
熱交換器用の、長手方向軸線を有し且つ複数の管を伸延させてなる細長のマニホルド構造であって、
　細長のタンクピースにして、間隔を置いて長手方向に伸延する一対のタンク縁部と、タンク縁部の一方から他方に向けて伸延し、長手方向軸線を横断してのタンクピースの断面形状を画定する、共通方向を向いたタンク壁と、を含む細長のタンクピースと、
　細長のヘッダピースにして、長手方向に伸延し、前記共通方向とは反対方向を向いたヘッダ縁部と、該ヘッダ縁部の一方から他方に伸延し、長手方向軸線を横断してのヘッダピースの断面形状を画定するヘッダ壁と、を含む細長のヘッダピースと、
　を有し、
　ヘッダピースが、各ヘッダ縁部に隣り合って間隔を置いて長手方向軸線に沿って伸延する少なくとも２つの型押しビードを更に含み、各型押しビードが、ヘッダ縁部の一方から離間し且つ前記共通方向とは反対方向を向いた終端にして、開口を各々内部に有する終端を有し、
　タンクピースが、各タンク縁部の長手方向軸線に沿って間隔を置いた複数の端部にして、ヘッダピースに向けて伸延して型押しビードの終端の開口に係合するタブを更に含むマニホルド構造。
【請求項２０】
型押しビードの少なくとも１つが一対の終端を含み、該一対の終端の一方が開口を有する終端であり、他方の終端が、前記開口を有する終端が隣り合うと同じヘッダ縁部に隣り合って位置付けられる請求項１９のマニホルド構造。
【請求項２１】
一対の終端の前記他方が開口を有さない請求項２０のマニホルド構造。
【請求項２２】
少なくとも１つの型押しビードが、マニホルド構造を取り巻く外側空間内に向けて外側に突出される請求項１９のマニホルド構造。
【請求項２３】
少なくとも１つの型押しビードが、マニホルド構造の内側容積内に突出される請求項１９のマニホルド構造。
【請求項２４】
少なくとも１つのタブがタンク縁部の一方に形成した凹所内に位置付けられる請求項１９のマニホルド構造。
【請求項２５】
ヘッダピース及びタンクピースの少なくとも一方がＵ字形状の断面形状を有する請求項１９のマニホルド構造。
【請求項２６】
熱交換器用の、長手方向軸線を有し且つ複数の管を伸延させてなる細長のマニホルド構造であって、
　細長のタンクピースにして、後壁と、該後壁の各側から伸延し、長手方向軸線を横断してのＵ字形状の断面を画定する２つのタンク側壁とを含み、長手方向軸線に沿って間隔を置いた少なくとも２つの型押しビードにして、各型押しビードが、開口を内部に有する一対の終端を有し且つ前記後壁を横断して伸延し、各終端向けて各タンク側壁を部分的に降下する型押しビードを含む細長のタンクピースと、
　細長のヘッダピースにして、管受け壁と、該管受け壁の各側から伸延し、長手方向軸線を横断してのＵ字型の断面を画定する２つのヘッダ側壁とを有し、各ヘッダ側壁が、長手方向に沿って伸延し且つ管受け壁から離間する方向に伸延してタンクピースの開口に係合する複数のタブを有するマニホルド構造。
【請求項２７】
少なくとも１つの型押しビードが、マニホルド構造を取り巻く外側空間内に向けて外側に突出される請求項２６のマニホルド構造。
【請求項２８】
少なくとも１つの型押しビードが、マニホルド構造の内側容積内に突出される請求項２６のマニホルド構造。
【請求項２９】
少なくとも１つのタブが、ヘッダ側壁の一方に形成した凹所内に位置付けられる請求項２６のマニホルド構造。
【発明の詳細な説明】
【技術分野】
【０００１】
　本発明は、熱交換器用のマニホルドに関し、詳しくは、一方がヘッダピースであり他方がタンクピースであるところの複合ピース形態のマニホルドに関する。
【背景技術】
【０００２】
　一方がタンクピース、他方がヘッダピースであるマルチピース形態の熱交換器マニホルドはよく知られている。そうしたマルチピース型マニホルドに関し、タンクピース及びヘッダピースを相互に結合して流体密接合を形成する場合に、各ピースの長い縁部を相互に関して正しい方向に維持するという問題がある。この問題は、多くの形式の接合作業の中でも特に、好適なろう接ジョイントを形成するために合致面間を正確に位置付けする必要のあるろう接作業において生じ得る。従来、接合作業中にこれらのヘッダピースとタンクピースとを相互に係合させて相対位置付けする特徴部分を設けることでこの問題を解決しようとする試みが数多く為されてきている。こうした従来の試みの幾つかは意図する目的に適したものであるが、改良の余地は常にある。
【発明の開示】
【発明が解決しようとする課題】
【０００３】
　熱交換器のための新規且つ改良されたマニホルド構造を提供することである。
【課題を解決するための手段】
【０００４】
　前記課題は、熱交換器のための、長手方向軸線を有し、複数の管を伸延させてなる細長のマニホルド構造において達成される。マニホルドは、細長のタンクピースと、細長のヘッダピースとを含む。細長のタンクピースは、間隔を置いて長手方向に伸延し、共通方向を向いた一対のタンク縁部と、一方のタンク縁部から他方のタンク縁部に向けて伸延し、長手方向軸線を横断してのタンクピースの断面形状を画定するタンク壁とを含む。細長のヘッダピースは、間隔を置いて長手方向に伸延する一対のヘッダ縁部と、一方のヘッダ縁部から他方のヘッダ縁部に向けて伸延し、長手方向軸線を横断してのヘッダピースの断面形状を画定する、前記共通方向とは反対方向を向いたヘッダ壁とを含む。タンクピース及びヘッダピースの少なくとも一方は、これらタンクピース及びヘッダピースの少なくとも一方の各縁部に隣り合う壁の長手方向軸線に沿って間隔を置いた、少なくとも２つの型押しビードを更に含む。各型押しビードは、タンクピース及びヘッダピースの少なくとも一方の各縁部の一方から離間され、タンクピース及びヘッダピースの他方に面し、内部に開口を有する終端を有する。タンクピース及びヘッダピースの少なくとも一方は、これらタンクピース及びヘッダピースの少なくとも一方の各縁部の長手方向軸線に沿って間隔を置いた且つタンクピース及びヘッダピースの他方に向けて伸延する複数のタブを更に含む。
【０００５】
　型押しビードは１形態においてはタンク壁であり、タブはヘッダ縁部である。
　１様相において型押しビードはヘッダ壁であり、タブはタンク縁部である。
　１実施例において型押しビードの少なくとも一方が一対の終端を含み、この一対の終端の一方が開口を有する終端であり、他方の終端が、開口を有する前記終端が隣り合うと同じ縁部に隣り合って位置付けられる。
【０００６】
　１実施例では、型押しビードの少なくとも１つは１形態において一対の終端を含み、これら一対の終端の一方がタンクピース及びヘッダピースの少なくとも一方の各縁部の一方に隣り合って位置付けられ、他方がタンクピース及びヘッダピースの少なくとも一方の各縁部の他方に隣り合って位置付けられる。型押しビードの少なくとも一方は一対の終端の一方から他方に向けて壁を横断して伸延される。一対の終端の各々はタブの１つを受ける開口の１つを有する。
【０００７】
　本発明の１様相に従えば、熱交換器のための、長手方向軸線を有し且つ複数の平行管を伸延させてなる細長のマニホルド構造が提供される。マニホルド構造は細長のタンクピース及び細長のヘッダピースを含み、タンクピースは、後壁と、後壁の各側から伸延し、長手方向軸線を横断してのＵ字型断面を画定するタンク側壁とを有する。タンクピースは長手方向軸線に沿って間隔を置いた少なくとも２つの型押しビードを更に含む。各型押しビードは、後壁を横断して伸延し、タンク側壁の各々を各終端に向けて部分的に下降する一対の終端を有する。各終端の内部には開口が形成される。細長のヘッダピースは、管受け壁と、管受け壁の各側から伸延し、長手方向軸線を横断してのＵ字型断面を画定する２つのヘッダ側壁とを有する。各ヘッダ側壁は、管受け壁から離間する方向に伸延してタンクピースの開口と係合する、長手方向軸線に沿って間隔を置いた複数のタブを有する。
【０００８】
　本発明の目的及び利益は付随する請求範囲及び図面を含む明細書から明らかとなろう。
【発明の効果】
【０００９】
　熱交換器のための新規且つ改良されたマニホルド構造が提供される。
【発明を実施するための最良の形態】
【００１０】
　図１には、熱交換器１２と組み合わせた本発明のマルチピース型のマニホルド構造１０が示される。マニホルド構造１０からは複数の平行管１４が伸延され、これらの平行管１４間には平行管との熱交換関係下に蛇行フィン１６が伸延される。熱交換器１２の形態に基づき、マニホルド構造１０に、番号１８の位置に仮想線で示される１つ以上の流体ポートを設け、このマニホルド構造１０により平行管１４に分与され及びあるいはこれらの平行管１４から受ける作用流体のための入口あるいは出口として作用させることができる。マニホルド構造１０は長手方向軸線２０に沿って伸延する。
【００１１】
　図１ではマニホルド構造１０は特定の熱交換器１２形態との関連において示されるが、マニホルド構造１０は多くの形式の熱交換器において望ましく用いることができるものであり、その使用は、請求範囲に特に言及されない限り図１に示される特定の熱交換器１２の形態に限定されるものではない。例えば、図１に示す熱交換器１２では平坦な平行管１４と蛇行管１６とが使用されるが、幾つかの用途ではマニホルド構造１０を丸形管及びあるいはプレートフィンを持つ熱交換器で使用することが望ましいものとなり得る。更に他の例では、図１に示す熱交換器１２は長手方向軸線２０が水平方向に伸延されるが、マニホルド構造１０を、長手方向軸線２０が水平方向以外の、例えば、斜め方向あるいは垂直方向に伸延する熱交換器で用いることが望ましい場合が有り得る。
【００１２】
　図２にはマニホルド構造１０の一部分の斜視図が示される。マニホルド構造１０は間隔を置いた一対の端部３０（図２では一方のみ示される）を含み、各端部３０は最終マニホルドアセンブリでは、図示されない端部ピースあるいは端部キャップにより閉鎖される。そうした端部ピースあるいは端部キャップは、各端部３０の位置でマニホルド構造１０の残余部分にシール状態で接合される形態とされる。端部キャップの構造が多様なものであり得ること、及び、各端部キャップが本発明の一部を構成せず、従って本発明を理解する上で重要ではないことから、これらの端部キャップの説明は省略される。
【００１３】
　図１及び図２に示されるように、マニホルド構造１０には細長のタンクピース３２と、細長のヘッダピース３４とが含まれる。タンクピース３２は、間隔を置いて長手方向に伸延する一対のタンク縁部３６と、タンク縁部３６の一方からタンク縁部の他方に向けて伸延し、各タンク縁部３６が矢印４０で示す共通方向を向く状態下に、長手方向軸線２０を横断してのタンクピースの断面形状を画定するタンク壁３８とを含む。ヘッダピース３４は、長手方向に伸延するヘッダ縁部４２と、各ヘッダ縁部４２の一方からヘッダ縁部の他方に向けて伸延し、各ヘッダ縁部４２が矢印４０で示す共通方向とは反対の矢印４６で示す方向を向く状態下に、長手方向軸線２０を横断してのヘッダピース３４の断面形状を画定するヘッダ壁４４とを含む。例示した実施例では、矢印４０及び４６で示す各方向は長手方向軸線２０と直交する方向である。以下に詳しく説明するように、開口を内部に有しタブ５２により係合された複数の型押しビード４８が、マニホルド構造１０の接合作業の間、タンクピースとヘッダピースとの間に好適な接合ジョイントが得られるよう（図２では各型押しビード４８、開口５０、タブ５２は１つのみが示される）、タンクピース３２とヘッダピース３４とを相互に正しく整列する状態に維持するべく長手方向軸線２０に沿って間隔を置いて配置される。
【００１４】
　図２〜図４に最も良く示されるように、タンクピース３２のタンク壁３８は、例示した実施例では後壁５４と、後壁５４の各側から伸延し、長手方向軸線２０を横断してのＵ字型の断面形状を画定する２つのタンク側壁５６とを含む。図４に示されるように、タンクピース３２は型押しビード４８を有し、各型押しビード４８は一対の終端５８を有し、各終端５８はタンク縁部３６の一方に隣り合って位置付けられ且つ矢印４０の方向でヘッダピース３４に面している。図２〜図５に示す実施例では、各型押しビード４８は後壁５４を横断して長手方向軸線２０を横断して伸延し、終端５８に向けて各タンク側壁５６を部分的に下降する。図３及び図４に最も良く示されるように、各終端５８の内部には開口５０の１つが形成される。例示した実施例では、各開口５０は長手方向軸線２０に沿って伸延する細長スロットの形状で設けられる。タブ５２を受ける構造を設けることに加え、図２〜図５の実施例では、型押しビード４８が構造リブとして作用することでタンクピース３２に追加的な剛性が提供される。
【００１５】
　図３及び図６に最も良く示されるように、例示した実施例ではヘッダ壁４４が、管受け壁６２と、管受け壁６２の各側から伸延し、長手方向軸線２０を横断してのＵ字型の断面を画定する２つのヘッダ側壁６４とを含んでいる。タンクピース３２及びヘッダピース３４は例示された実施例ではＵ字型断面を有しているが、タンクピース３２及びヘッダピース３４の一方あるいは両方のための幾つかの用途において、Ｕ字型以外の断面を有することが望ましい場合があり得る。例えば、幾つかの高圧用途ではタンクピース３２及びヘッダピース３４の一方あるいは両方が半円形状あるいは楕円形状を有することが望ましい場合があり得る。
【００１６】
　管受け壁６２は、型押し付きの、フランジ付きの、複数の管開口６６を含む。これらの管開口６６の詳細は、マニホルド構造１０を使用する熱交換器で使用する管の形式、作用流体、運転圧力を含む熱交換器の特定形式に対する依存度が非常に高い。従って、ヘッダピース３４がマニホルド構造１０を使用する特定の熱交換器に好適な任意形式の管開口６６を用い得ること、及び、そうした管開口は数多くの形態のものが既知であることから、管開口６６の説明は省略される。ヘッダ側壁６４は、例示した実施例のヘッダ縁部４２を矢印４６で示す方向で長手方向軸線２０に沿って間隔を置いてタンクピース３２に向けて伸延する複数のタブを含んでいる。例示した実施例ではこれらのタブ５２は開口５０の形状と実質的に一致する矩形断面を有する。各タブ５２は、各タブ５２の各側に隣り合うヘッダ縁部４２が型押しビード４８の終端５８に座着するよう、相当する開口５０内に完全に挿通される。更に、例示した実施例では各タブ５２は、ヘッダピース３２及びタンクピース３４の組み立て中に関連する開口５０内にタブ５２を案内し得る丸味付け先端６８を有する。
【００１７】
　型押しビード４８、開口５０、タブ５２は多様な形状のものとすることができる。開口５０は型押しビード４８の断面形状にある程度合致し、タブ５２の断面形状は開口５０の形状にある程度合致する形状であることが好ましい。そうした形状は好ましいものであるが、開口５０の形状を型押しビード４８の断面形状に合致させない及びあるいはタブ５２の形状を開口５０に合致させないことが好ましい場合があり得る。また、タブ５２が、タブ５２の開口５０への組み込みを支援する案内特徴部分を端部位置に有することが好ましいが、そうした特徴部分を設けない方が望ましい場合もあり得る。タブ５２のそうした案内特徴部分に関し、丸味付け先端６８はタブ５２の案内特徴部分として用い得るものの１つとして示されるに過ぎない。
【００１８】
　タンク縁部３６とヘッダ縁部４２との相対間隔は、タンク壁３８とヘッダ壁４４とがこれらのタンク縁部３６とヘッダ縁部４２との間で相互にぴったりと合致して、エポキシ接合のような、しかし典型的にはろう接のような任意の好適な接合方法であり得る接合作業のための適宜の連結ジョイント部を提供することが好ましい。そのようなぴったりとした合着は、マニホルド構造１０のために選択した特定の接合作業に対する依存度が高く、タンク壁３８とヘッダ壁４４との間をぴったりと合着させる必要のないマニホルド構造１０もある。
【００１９】
　図２、図３、図４に示すタンクピース３２では型押しビード４８がマニホルド構造１０の内側容積７０内に突出されているが、ある用途では型押しビード４８を図５に示すようにマニホルド構造１０を取り巻く外側空間７２内に向けて外側に突出させることが望ましい場合があり得る。図５ではマニホルド構造１０のタンクピース３２の外側に突出する型押しビード４８は、その他の点では図２〜図４に示す型押しビード４８と同一のものである。図５に示す実施例に関し、各タンク縁部３６間の間隔は、図３に示す形態では各ヘッダ側壁６４が各タンク側壁５６に嵌合するようなものであるのとは逆に、各タンク側壁５６が各ヘッダ側壁６４の内部に嵌合するようなものである。
【００２０】
　図７にはヘッダピース３４の別態様が例示される。本実施例のヘッダピース３４は、側壁６４が図６の実施例の側壁６４よりも管受け壁６２から遠方に伸延し、凹所７４を含み、この凹所７４内にタブ５２が位置付けられる点を除き、図６の実施例のものと同じである。凹所７４は、タブ５２が開口５０内に完全に挿通され、凹所７４の底部７６が型押しビード４８の終端５８に座着し得るよう、型押しビード４８の各側とヘッダ縁部４２との間に間隙を提供する形態のものとされる。
【００２１】
　図８にはタンクピース３２及び型押しビード４８の別態様が示される。本実施例では型押しビード４８はタンク側壁５６の一部分のみに沿って長手方向軸線２０を横断する方向に伸延するポケット８０の形態を有する。詳しくは、ポケット８０は、図１０に示されるように、終端５８からは離間されるが、終端５８が隣り合うと同じタンク縁部３６に隣り合うタンク側壁５６上に位置付けられる。図１０に最も良く示されるように、終端８２に開口を設けない（即ち閉鎖する）ことで、マニホルド構造１０に生じ得る漏出路を最小化させることができる。しかしながら、ある用途では終端８２に開口を設けることが望ましい場合があり得る。図９にはタンクピース３２の実施例が示され、ポケット８０が、図８に示されるように内側容積７０の内部に突出するのではなく、むしろ外側空間７２内へと外側に突出されている。
【００２２】
　図６及び図７に示すヘッダピース３４の各実施例は何れも、図２〜図５、図９〜図１０に示す別態様でのタンクピース３２との互換性がある。
　図８、図９に示すタンクピース３２は、随意的な特徴として、長手方向軸線２０を横断し、タンク壁３８に沿って伸延する型押し補強リブ８４を含む。各型押し補強リブ８４は、タンク壁３８の剛性を追加したいある用途において望ましいものであり得る。
【００２３】
　図１〜図１０に例示した各実施例は、タンクピース３２に型押しビード４８及びポケット８０を形成し、ヘッダピース３４にタブ５２を形成したものとして示されるが、ある用途ではタブ５２をタンクピース３２に形成し、型押しビード４８及びポケット８０をヘッダピース３４に形成し、図１１及び図１２に夫々示すように外側か、あるいは内側に突出させることが望ましい場合があり得る。この点に関し、タンクピース３２のタンク側壁３８に図７に示すような凹所７４を形成することが望ましい場合もあり得る。
【００２４】
　型押しビード４８、ポケット８０、開口６０、タブ５２の正確な間隔及び寸法はマニホルド構造１０のための特定用途におけるパラメータ、例えば、ヘッダピース３２及びタンクピース３４のために選択する材料、マニホルド構造１０のための容積条件、ヘッダピース３２及びタンクピース３４のために望ましい断面形状、マニホルド構造１０のために選択する接合作業形式、といったパラメータに対する依存度が高い。従って、図示された各構成部品の特定の寸法形状は例示目的のためのものであり、請求の範囲に特に言及されない限りこれに限定するものではない。
【００２５】
　開示された型押しビード４８及びポケット８０及びタブ５２は、ヘッダピース３２及びタンクピース３４の組み立て中にタンク側壁３８及びヘッダ側壁４４の一部を夫々の正しい方向でタンク縁部３６及びヘッダ縁部４２に隣り合って好都合に位置付けし、且つ、接続作業中に前記正しい方向を維持し、かくしてタンクピース３２及びヘッダピース３４の組み立てを助成することができる。この点、型押しビード４８及びポケット８０及びタブ５２が、長手方向軸線２０及び長手方向軸線２０を横断する方向の何れにおいても、タンクピース３２とヘッダピース３４との間の相対移動を拘束し、ヘッダピース３２及びタンクピース３４の相互の整合のみならず、マニホルド構造１０の組み立て及び接合を増長させることができる。この点、接合作業がない場合でも、ヘッダピース３２及びタンクピース３４を整合させる必要のあるある用途では型押しビード４８及びポケット８０及びタブ５２を用いることが望ましい場合があり得る。
【図面の簡単な説明】
【００２６】
【図１】本発明のマニホルド構造を使用する熱交換器の正面図である。
【図２】図１の熱交換器の部分斜視図である。
【図３】図２を線３−３に沿って切断した断面図である。
【図４】図２のマニホルド構造のタンクピースの、回転させた状態での斜視図である。
【図５】図２〜図４に示すマニホルド構造の別態様の図３と類似の断面図である。
【図６】図２に示すマニホルド構造のヘッダピースの斜視図である。
【図７】図６のヘッダピースの別態様を示す斜視図である。
【図８】図２〜図５に示すタンクピースの別態様の斜視図である。
【図９】図２〜図５及び図８に示すタンクピースの更に他のタンクピースの別態様の斜視図である。
【図１０】図８及び図９に示す型押しビードの線１０−１０に沿って切断した部分断面図である。
【図１１】図２と類似のマニホルド構造の別態様の断面図である。
【図１２】図５と類似のマニホルド構造の別態様の断面図である。
【符号の説明】
【００２７】
　１０　マニホルド構造
　１２　熱交換器
　１４　平行管
　１６　蛇行フィン
　１８　流体ポート
　２０　長手方向軸線
　３０　端部
　３２　タンクピース
　３４　ヘッダピース
　３６　タンク縁部
　４２　ヘッダ縁部
　４４　ヘッダ壁
　４８　型押しビード
　５０　開口
　５２　タブ
　５４　後壁
　５６　タンク側壁
　５８　終端
　６４　ヘッダ側
　６６　管開口
【図１】
2004037071.tif 000003
【図２】
2004037071.tif 000004
【図３】
2004037071.tif 000005
【図４】
2004037071.tif 000006
【図５】
2004037071.tif 000007
【図６】
2004037071.tif 000008
【図７】
2004037071.tif 000009
【図８】
2004037071.tif 000010
【図９】
2004037071.tif 000011
【図１０】
2004037071.tif 000012
【図１１】
2004037071.tif 000013
【図１２】
2004037071.tif 000014